【手続補正書】
【提出日】平成15年10月31日(2003.10.31)
【手続補正１】
【補正対象書類名】明細書
【補正対象項目名】特許請求の範囲
【補正方法】変更
【補正の内容】
【特許請求の範囲】
【請求項１】
出力情報を供給する情報処理装置と、前記情報処理装置より供給される出
力情報を印刷出力する印刷装置とを含む情報出力システムであって、
前記情報処理装置に出力情報を生成する生成手段と、前記接続印刷装置とのインタフェ
ースを司る印刷装置インタフェース手段と、前記接続印刷装置の印刷能力を判別する判別
手段を備え、
前記印刷装置インタフェース手段は、前記生成手段が生成する中間データを前記印刷装
置で処理するバンド単位のイメージデータ形式に展開する展開手段と、前記印刷装置と自
装置の接続形態からデータ転送レートを算出して前記展開手段で展開されるバンド単位の
出力情報を算出した転送レートで転送した時における前記印刷装置の排紙速度に間に合う
最低圧縮率を求める算出手段と、全ての画像データを前記算出手段で算出した圧縮率以下
に圧縮する圧縮手段手段とを含み、
前記印刷装置が１ページ分のページメモリを持たずに高精細な画像を出力可能とするこ
とを特徴とする情報出力システム。
【請求項２】
出力情報を供給する情報処理装置と、前記情報処理装置より供給される出
力情報を印刷出力する印刷装置とを含む情報出力システムであって、
前記情報処理装置に出力画像を描画する描画機能と、前記印刷装置とのインタフェース
を司るプリンタドライバ機能とを備え、
前記プリンタドライバ機能は、前記描画機能で描画される中間データを前記印刷装置で
処理するバンド単位のイメージデータ形式に展開する展開手段と、前記印刷装置と自装置
の接続形態からデータ転送レートを算出して前記展開手段で展開されるバンド単位の出力
情報を算出した転送レートで転送した時における前記印刷装置の排紙速度に間に合う最低
圧縮率を求める算出手段と、全ての出力情報を前記算出手段で算出した圧縮率以下に圧縮
する圧縮手段手段とを含み、
前記印刷装置が１ページ分のページメモリを持たずに高精細な画像を出力可能とするこ
とを特徴とする情報出力システム。
【請求項３】
前記算出手段は前記展開手段が前記バンド単位で展開した出力情報に前記
圧縮手段による圧縮処理にＬｏｓｓＬｅｓｓ圧縮処理を加えることによりデータ転送レー
トを向上させた際のデータ転送レートを算出し、前記圧縮手段は前記算出手段の算出結果
に従って圧縮処理をすることを特徴とする請求項１又は請求項２のいずれかに記載の情報
出力システム。
【請求項４】
前記算出手段は、データ転送レートを印刷装置の排紙速度以上にする前記
圧縮手段の圧縮率を、前記圧縮手段が前記バンド単位で圧縮処理を行った結果、前記最低
圧縮率以下となる時には圧縮率を高めるＬｏｓｓＬｅｓｓフィルタリング処理を行なって
から前記ＬｏｓｓＬｅｓｓ圧縮処理を実行させることによる圧縮処理を行わせた時におけ
る圧縮率を算出し、前記圧縮手段は前記算出手段の算出結果に従って圧縮処理をすること
を特徴とする請求項１乃至請求項３のいずれかに記載の情報出力システム。
【請求項５】
前記算出手段は、データ転送レートを印刷装置の排紙速度以上にする前記
圧縮手段の圧縮率を、前記圧縮手段が前記バンド単位で圧縮処理を行った結果前記最低圧
縮率以下ならば圧縮率を低下させる原因である中間データにＬｏｓｓｙなフィルタリング
処理を加えて再展開後に圧縮処理を行わせた時における圧縮率を算出し、前記圧縮手段は
前記算出手段の算出結果に従って圧縮処理をすることを特徴とする請求項１乃至請求項４
のいずれかに記載の情報出力システム。
【請求項６】
前記算出手段は、データ転送レートを印刷装置の排紙速度以上にする前記
圧縮手段の圧縮率を、前記圧縮手段が前記バンド単位で圧縮処理を行った結果が前記最低
圧縮率以下ならばページ全体の解像度を落としてデータ量を減らすことにより圧縮処理を
行わせた時における圧縮率を算出し、前記圧縮手段は前記算出手段の算出結果に従って圧
縮処理をすることを特徴とする請求項１又は請求項２のいずれかに記載の情報出力システ
ム。
【請求項７】
前記算出手段は、請求項３乃至請求項６のいずれかの圧縮率算出方法を組
み合わせることにより最高精細な画像を出力可能な圧縮率算出方法で圧縮した時における
圧縮率を算出し、前記圧縮手段は前記算出手段の算出結果に従って圧縮処理をすることを
特徴とする請求項１又は請求項２のいずれかに記載の情報出力システム。
【請求項８】
前記算出手段は、出力情報がカラー情報である各色単位で請求項３乃至請
求項６のいずれかの圧縮率算出方法を組み合わせることにより最高精細な画像を出力可能
な圧縮率算出方法で圧縮した時における圧縮率を算出し、前記圧縮手段は前記算出手段の
算出結果に従って圧縮処理をすることを特徴とする請求項１又は請求項２のいずれかに記
載の情報出力システム。
【請求項９】
出力情報を供給する情報処理装置と、前記情報処理装置より供給される出
力情報を印刷出力する印刷装置とを含む情報出力システムにおける情報出力方法であって
、
前記情報処理装置に出力画像を描画する描画機能と、前記印刷装置とのインタフェース
を司るプリンタドライバ機能とを備え、
前記プリンタドライバ機能は、前記描画機能で描画される中間データを前記印刷装置で
処理するバンド単位のイメージデータ形式に展開すると共に前記印刷装置と自装置の接続
形態からデータ転送レートを算出し、展開されるバンド単位の出力情報を算出した転送レ
ートで転送した時における前記印刷装置の排紙速度に間に合う最低圧縮率を求めて全ての
出力情報を算出した圧縮率以下に圧縮して前記印刷装置に出力するように制御することに
より前記印刷装置が１ページ分のページメモリを持たずに高精細な画像を出力可能とする
ことを特徴とする情報出力方法。
【請求項１０】
前記データ転送レートの算出は前記バンド単位で展開した出力情報に対
する圧縮処理に更にＬｏｓｓＬｅｓｓ圧縮処理を行わせた際の圧縮率に基づいてデータ転
送レートを算出して、当該圧縮処理を行った出力情報を前記印刷装置に出力するように制
御することを可能とすることを特徴とする請求項９記載の情報出力方法。
【請求項１１】
前記データ転送レートの算出時に、圧縮率が前記バンド単位で圧縮処理
を行った結果前記最低圧縮率以下となる時には、圧縮率を高めるＬｏｓｓＬｅｓｓフィル
タリング処理を行なってから前記ＬｏｓｓＬｅｓｓ圧縮処理を実行させることによる圧縮
処理を行わせた時における圧縮率に基づいてデータ転送レートを算出し、当該圧縮処理を
行った出力情報を前記印刷装置に出力するように制御することを特徴とする請求項１０記
載の情報出力方法。
【請求項１２】
前記データ転送レートの算出時に、前記バンド単位で圧縮処理を行った
結果前記最低圧縮率以下となる場合には圧縮率を低下させる原因である中間データにＬｏ
ｓｓｙなフィルタリング処理を加えて再展開後に圧縮処理を行わせた時における圧縮率に
基づいてデータ転送レートを算出し、当該圧縮処理を行った出力情報を前記印刷装置に出
力するように制御することを特徴とする請求項９乃至請求項１１のいずれかに記載の情報
出力方法。
【請求項１３】
前記データ転送レートの算出時に、圧縮率を前記バンド単位で圧縮処理
を行った結果が前記最低圧縮率以下となる場合にはページ全体の解像度を落としてデータ
量を減らすことにより圧縮処理を行わせた時における圧縮率に基づいてデータ転送レート
を算出し、当該圧縮処理を行った出力情報を前記印刷装置に出力するように制御すること
を特徴とする請求項９乃至請求項１２のいずれかに記載の情報出力方法。
【請求項１４】
前記データ転送レートの算出時に、請求項１０乃至請求項１３のいずれ
かの圧縮率算出方法を組み合わせることにより最高精細な画像を出力可能な圧縮率算出方
法で圧縮した時における圧縮率に基づいてデータ転送レートを算出し、当該圧縮処理を行
った出力情報を前記印刷装置に出力するように制御することを特徴とする請求項９記載の
情報出力方法。
【請求項１５】
前記データ転送レートの算出時に、出力情報がカラー情報である各色単
位で請求項１０乃至請求項１４のいずれかの圧縮率算出方法を組み合わせることにより最
高精細な画像を出力可能な圧縮率算出方法で圧縮した時における圧縮率に基づいてデータ
転送レートを算出し、当該圧縮処理を行った出力情報を前記印刷装置に出力するように制
御することを特徴とする請求項９記載の情報出力方法。
【請求項１６】
請求項９乃至請求項１５の各請求項における情報出力方法を実現するプ
ログラム。
【請求項１７】
請求項１６記載のプログラムを記憶したコンピュータ読み取り可能な記
憶媒体。